【事件の表示】
　特願２００１−　８２０９２「レンズ鏡筒の繰出し構造」拒絶査定不服審判事件〔平成１４年　９月２５日出願公開、特開２００２−２７７７１６〕について、次のとおり審決する。
【結　論】
　本件審判の請求は、成り立たない。
【理　由】
１．手続の経緯
　本願は、平成１３年３月２２日に出願された特願２００１−８２０９２号であって、平成１６年１０月２５日付で拒絶査定がなされ、これに対して、平成１６年１２月２日に拒絶査定に対する審判請求がなされたものである。
　
２．本願発明
　本願の請求項１に係る発明は、平成１６年９月２７日付手続補正書で補正された明細書及び図面の記載から見て、その特許請求の範囲の請求項１に記載された次のとおりのもの（以下、「本願発明」という。）と認める。
「多段繰出し鏡筒を有するレンズ鏡筒であって、少なくとも１個の鏡筒を繰出し、繰り込むヘリコイド繰出し構造を備え、
　該ヘリコイド繰出し構造は、レンズ鏡筒の収納位置から撮影可能繰出し位置までの間の少なくとも一部区間に繰出し、繰り込みにおいて、回転しても繰出し、繰り込みしないヘリコイド空転区間を備え、
　該ヘリコイド空転区間を有するヘリコイド繰出し構造は、一方の鏡筒に設けられた雌ヘリコイドと、他方の鏡筒に設けられた雄ヘリコイドとを備え、該雄、雌ヘリコイドは、前記一方の鏡筒と他方の鏡筒の位置関係が収納位置状態にあるときに光軸方向の移動は規制して周方向回転は許容するヘリコイド空転区間を備え、さらに前記一方および他方の鏡筒には、前記一方の鏡筒と他方の鏡筒の光軸方向の位置が少なくとも収納位置乃至該収納位置よりも僅か繰出された位置関係にあるときに、周方向および光軸方向には摺接可能にかつ遊び無く嵌り、前記ヘリコイド空転区間における回転を案内するぶれ防止部が形成されていることを特徴とするレンズ鏡筒の繰出し構造。」
　
３．引用例
　原査定の拒絶の理由に引用された、本願の出願前に頒布された特開２０００−３２９９８８号公報（以下、引用例１という。）には、次の事項が記載されている。
ア．【０００７】
　請求項１に記載の発明によれば、回転筒が回転すると固定筒に対して第１、第２ヘリコイドネジにより前後に移動するとともに、カム筒が回転し回転筒とともに前後する直進筒に対して第３、第４ヘリコイドネジにより前後に移動し、さらに、カム筒にカム溝を介して係合するレンズ枠がカム筒に対して前後に移動するように構成されている。すなわち、２カ所のヘリコイド構造と１カ所のカム構造により３段鏡胴になっており、ヘリコイド構造とカム構造の双方を組み合わせているので、十分な強度を有しながらもレンズの移動量を高い自由度をもって設定できる。
　
イ．【０００９】
　ここで、初期状態とは、たとえばカメラ内に撮影レンズが収納された状態あるいは電源を投入した最初の状態である。
　
ウ．【００１０】
　請求項２に記載の発明は、請求項１に記載のカメラにおいて、
　前記第３のヘリコイドネジは前記直進筒の内周面の前端部近傍から途中まで形成され、前記第４のヘリコイドネジは前記カム筒の外周面の一部に形成され、
　前記直進筒には前記カム筒の回転方向をガイドするガイド孔（３１）が設けられ、
　前記カム筒には、前記ガイド孔に係合する係合部材（突起軸４１）が設けられ、
　前記ガイド孔は、前記直進筒後部において前記第３のヘリコイドネジが形成されていない部分に周方向に沿うように形成された第１孔部（後部３１ａ）と、前記第１孔部に連続し前記直進筒の前記前端部近傍まで前記第３のヘリコイドネジに沿うように形成されている第２孔部（前部３１ｂ）とからなり、
　前記係合部材は、前記第４のヘリコイドネジに対して前後方向においてほぼ同じ位置に設けられており、前記カム筒が前記初期状態から前記所定角度回転する間は前記第１孔部に係合し、その後は前記第２孔部に係合するように構成されていることを特徴とする。
【００１１】
　請求項２に記載の発明によれば、係合部材は前記初期状態から前記カム筒が前記所定角度回転する間は、直進筒の周方向に沿うように形成された第１孔部に係合することから、係合部材は回転方向に対して平行に移動するだけなので、カム筒も回転するだけで直進筒に対して前進することはない。
　カム筒が所定角度回転すると、係合部材が第２孔部に係合する。第２孔部は、前記前端部近傍まで前記第３のヘリコイドネジに沿うように形成され、一方、係合部材は前記第４のヘリコイドネジに対して前後方向においてほぼ同じ位置に設けられていることから、係合部材が第２孔部に係合した状態でカム筒が回転すれば、係合部材は第２孔部に沿って直進筒に対して前方に位置を変えていき、第４のヘリコイドネジが第３のヘリコイドネジに対して螺合できるようになり、カム筒は回転しながら直進筒に対して前進するようになる。
・・・　
【００１３】【発明の実施の形態】
　以下、この発明の実施の形態の一例について、図面を参照しながら説明する。
　図１は、本発明のカメラの一例としてのカメラ１００の断面図であり、図２はカメラ１００に備えられる撮影レンズ１の概略構成を示す図である。
　なお、図７および図８は、撮影レンズ１のワイド時、テレ時の状態を示しており、図４はワイド時の撮影レンズの一部を拡大した断面図である。・・・
【００１４】
　以下、撮影レンズ１の構成を説明する。
　撮影レンズ１は、固定筒１０、回転筒２０、直進筒３０、カム筒４０、直進キー環５０、第１レンズ枠６０、第２レンズ枠７０、第３レンズ枠８０とから構成される。これら各部材は、全て略円筒状であり、各部材の開口のほぼ中心を通る直線（中心線）がほぼ一致するような状態で重ねられている。
　
エ．【００２０】
　このカム筒４０が突起軸４１を介して回転するときの直進筒３０とカム筒４０の関係を、図５、図６に示す。図５および図６は、直進筒３０の内周面とカム筒４０の外周面を重ねて平面的に展開した図である。なお、図５および図６において、直進筒３０については図３と全く同様に示されており、カム筒４０の外形線を太線で示している。
　撮影レンズ１がカメラ１００に収納された状態のとき（初期状態）には、図５に示すように、各突起軸４１が、ガイド孔３１の後部３１ａに填め込まれ、ヘリコイドネジ３２とヘリコイドネジ４２が螺合していない。
　この状態で、回転筒２０が回転すると、突起軸４１が図５中の右方向に移動し始め、カム筒４０が回転し始める。後部３１ａは周方向に沿うように形成されていることから、カム筒４０は回転するだけで直進筒３０に対して前方に移動することはない。
　
オ．【００３１】
　つまり、初期状態からカム筒４０が所定角度回転する間、直進筒３０に対してカム筒４０は移動せず、実質的に２段階鏡胴として機能することから、各レンズ群の移動量を小さく設定できる。
　特に、撮影レンズ１をワイド（最少倍率）に設定するような場合、レンズの繰り出すべき量がわずかなため、その分微妙に移動量を設定できることが望ましいが、カメラ１００であれば初期状態からカム筒４０が所定角度回転する間、カム筒４０の回転角度に比してレンズ群の移動量が小さいので、レンズの移動量を望ましい程度に自由に設定できる。
　
　そして、上記記載事項にあるヘリコイドネジによるヘリコイド繰出し構造の撮影レンズ１が、繰出し、繰り込みを行うものであることは自明であるので、上記記載事項から、引用例１には、
「固定筒１０、回転筒２０、直進筒３０、カム筒４０、直進キー環５０、レンズ枠６０、７０、８０を有する撮影レンズ１であって、回転筒２０、カム筒４０を繰出し、繰り込むヘリコイド繰出し構造を備え、
　該ヘリコイド繰出し構造は、撮影レンズ１が収納された状態から、ワイド時の状態までの間の繰出し、繰り込みにおいて、係合部材（突起軸４１）が、直進筒３０後部において第３のヘリコイドネジ３２が形成されていない部分に周方向に沿うように形成された第１孔部３１ａを、回転方向に対して平行に移動するだけで、カム筒４０も回転するだけで直進筒３０に対して前進することはない区間を備え、
　該区間を有するヘリコイド繰出し構造は、直進筒３０に設けられた第３ヘリコイドネジ３２と、カム筒４０に設けられた第４ヘリコイドネジ４２とを備え、該第３、第４ヘリコイドネジは、直進筒３０とカム筒４０とが収納された状態あるときには螺合しておらず、係合部材（突起軸４１）が、直進筒３０に形成された第１孔部３１ａを、回転方向に対して平行に移動するだけで、カム筒４０も回転するだけで直進筒３０に対して前進することはない区間を備えた撮影レンズ１の繰出し構造」（以下、「引用発明」という。）が記載されていると認められる。
　
４．対比
　本願発明と引用発明とを対比する。
　引用発明の回転筒２０、カム筒４０は、ヘリコイド繰出し構造を有する繰出し鏡筒であり、撮影レンズ１は、レンズ鏡筒であるので、引用発明の「固定筒１０、回転筒２０、直進筒３０、カム筒４０、直進キー環５０、レンズ枠６０、７０、８０を有する撮影レンズ１であって、回転筒２０、カム筒４０を繰出し、繰り込むヘリコイド繰出し構造を備え」は、本願発明の「多段繰出し鏡筒を有するレンズ鏡筒であって、少なくとも１個の鏡筒を繰出し、繰り込むヘリコイド繰出し構造を備え」に相当する。
　また、引用発明の「撮影レンズ１が収納された状態」、「ワイド時の状態」は、本願発明の「レンズ鏡筒の収納位置」、「撮影可能繰出し位置」に相当し、その間の繰出し、繰り込みにおいて、カム筒４０は回転するだけで直進筒３０に対して前進することはないのであるから、引用発明の「該ヘリコイド繰出し構造は、撮影レンズ１が収納された状態から、ワイド時の状態までの間の繰出し、繰り込みにおいて、係合部材（突起軸４１）が、直進筒３０後部において第３のヘリコイドネジ３２が形成されていない部分に周方向に沿うように形成された第１孔部３１ａを、回転方向に対して平行に移動するだけで、カム筒４０も回転するだけで直進筒３０に対して前進することはない区間を備え」は、本願発明の「該ヘリコイド繰出し構造は、レンズ鏡筒の収納位置から撮影可能繰出し位置までの間の少なくとも一部区間に繰出し、繰り込みにおいて、回転しても繰出し、繰り込みしないヘリコイド空転区間を備え」に相当する。
　また、直進筒３０に設けられた第３ヘリコイドネジ３２と、カム筒４０に設けられた第４ヘリコイドネジ４２とは互いに螺合するので、一方が雌ヘリコイド、他方が雄ヘリコイドであることは自明である。そして、直進筒３０とカム筒４０とが収納された状態あるときには、カム筒４０も回転するだけで直進筒３０に対して前進することはない区間を備えているのであるから、引用発明の「該区間を有するヘリコイド繰出し構造は、直進筒３０に設けられた第３ヘリコイドネジ３２と、カム筒４０に設けられた第４ヘリコイドネジ４２とを備え、該第３、第４ヘリコイドネジは、直進筒３０とカム筒４０とが収納された状態あるときには螺合しておらず、係合部材（突起軸４１）が、直進筒３０に形成された第１孔部３１ａを、回転方向に対して平行に移動するだけで、カム筒４０も回転するだけで直進筒３０に対して前進することはない区間を備え」は、本願発明の「該ヘリコイド空転区間を有するヘリコイド繰出し構造は、一方の鏡筒に設けられた雌ヘリコイドと、他方の鏡筒に設けられた雄ヘリコイドとを備え、該雄、雌ヘリコイドは、前記一方の鏡筒と他方の鏡筒の位置関係が収納位置状態にあるときに光軸方向の移動は規制して周方向回転は許容するヘリコイド空転区間を備え」に相当する。
　
　したがって、両者は、「多段繰出し鏡筒を有するレンズ鏡筒であって、少なくとも１個の鏡筒を繰出し、繰り込むヘリコイド繰出し構造を備え、
　該ヘリコイド繰出し構造は、レンズ鏡筒の収納位置から撮影可能繰出し位置までの間の少なくとも一部区間に繰出し、繰り込みにおいて、回転しても繰出し、繰り込みしないヘリコイド空転区間を備え、
　該ヘリコイド空転区間を有するヘリコイド繰出し構造は、一方の鏡筒に設けられた雌ヘリコイドと、他方の鏡筒に設けられた雄ヘリコイドとを備え、該雄、雌ヘリコイドは、前記一方の鏡筒と他方の鏡筒の位置関係が収納位置状態にあるときに光軸方向の移動は規制して周方向回転は許容するヘリコイド空転区間を備え、ていることを特徴とするレンズ鏡筒の繰出し構造。」である点で一致し、以下の点で相違する。
　
相違点１；
　本願発明では、「一方および他方の鏡筒には、前記一方の鏡筒と他方の鏡筒の光軸方向の位置が少なくとも収納位置乃至該収納位置よりも僅か繰出された位置関係にあるときに、周方向および光軸方向には摺接可能にかつ遊び無く嵌り、前記ヘリコイド空転区間における回転を案内するぶれ防止部が形成され」ているのに対し、引用発明では、ぶれ防止部について限定がない点。
　
５．当審の判断
相違点１について；
　引用発明においても、【図１】、【図４】〜【図７】を参照すると、初期状態（カメラ内に撮影レンズが収納された状態）乃至撮影レンズ１のワイド時、カム筒４０後端の第４ヘリコイドは、直進筒３０の後端部近傍の溝部に摺接可能にかつ遊び無く嵌っていると解することができるので、引用発明において、上記相違点１に係る本願発明の構成を限定することは、当業者にとって容易である。
　
　そして、本願発明の効果も、引用発明から予測される範囲のもので格別のものではない。
　
６．むすび
　したがって、本願発明は、引用例１に記載された発明に基づいて、当業者が容易に発明をすることができたものであるから、特許法第２９条第２項の規定により特許を受けることができない。
　よって、結論のとおり審決する。